(57)【特許請求の範囲】
【請求項１】
コンロケースの上面に配置されている加熱器と、
コンロケースの内部に設けられている炊飯鍋収容用空間と、
炊飯鍋収容用空間に臨む位置に配置されている炊飯鍋加熱器と、
コンロケースの上面の加熱器に干渉しない位置に設けられ、炊飯鍋収容用空間に連通し、炊飯鍋の通過を許容する開口と、
炊飯鍋が炊飯鍋収容用空間に収容されたときに、炊飯鍋本体と炊飯鍋の把手との間に入り込んで炊飯鍋の把手を炊飯鍋収容用空間から遮蔽する遮蔽板と、
を備えた炊飯器内蔵コンロ。
【請求項２】
前記したコンロケース上面の加熱器と炊飯鍋加熱器が、ガスバーナであることを特徴とする請求項１に記載の炊飯器内蔵ガスコンロ。
【請求項３】
炊飯鍋の把手が略直立位置と倒れた位置の間を回動可能であり、コンロケース上面の開口を開閉可能に覆う上蓋が閉位置におかれると、上蓋内面が前記遮蔽板に当接して倒れた位置におかれた把手を収容する空間の上面を囲繞する壁になることを特徴とする請求項１又は２に記載の炊飯器内蔵コンロ。
【発明の詳細な説明】
【０００１】
【発明の属する技術分野】
本発明は、コンロケースの上面に加熱器が配置されており、その加熱器を利用して調理するコンロに関する。特に、コンロケース内に炊飯鍋収容用空間と炊飯鍋加熱器からなる炊飯器が内蔵されているコンロに関する。本発明は、ガスを燃料とするガスコンロに好適に適用することができる。
【０００２】
【従来の技術】
ガスコンロケース内に炊飯鍋収容用空間を設け、その炊飯鍋収容用空間に臨む位置に炊飯鍋加熱用ガスバーナを設けた炊飯器内蔵ガスコンロが提案されている（実開昭６０−１７６７２３号公報、実開昭６１−３９０２６号公報、実公平７−８９６２号公報等）。この種のガスコンロは、ガスコンロケースの前面に開口を有し、その開口がその炊飯鍋収容用空間に連通している。本明細書では、ガスコンロケースの側面のうち使用者に近い側を「前」といい、遠い側を「後」という。ガスコンロの使用者はガスコンロケースの前面に設けられている開口を使って炊飯鍋を炊飯鍋収容用空間に出し入れする。
ガスコンロが炊飯器を内蔵していると、コンロの他に炊飯器を備える必要がなく、キッチン空間を有効に利用することができる。
【０００３】
【発明が解決しようとする課題】
しかしながら従来の炊飯器内蔵コンロでは、炊飯鍋をコンロケースの前面に設けられている開口から出し入れする必要があり、使いやすいものではなかった。炊飯直後の炊飯鍋は加熱されており、炊飯鍋自体を把持して出し入れすることが難しい。さりとてコンロケースの高さは限られており、炊飯鍋の把手をつかんで炊飯鍋を吊り下げながら出し入れすることもできない。コンロケースの前面に炊飯鍋用の開口が設けられている従来の炊飯器内蔵コンロでは、熱くて重い炊飯鍋の出し入れ作業が容易でなく、あまり普及していない。
【０００４】
本発明は、上述した実情に鑑みてなされたものであり、熱くて重い炊飯鍋を把手をつかんで吊り下げながら出し入れできるようにして、炊飯器内蔵コンロの使用性を格段に向上させるために創作されたものである。これができれば、通常の炊飯器と同様に、炊飯鍋の把手をつかむことによって熱くて重い炊飯鍋を吊り下げながら安全かつ容易に出し入れすることができ、キッチン空間の有効利用が促進されるものと期待することができる。
【０００５】
【課題を解決するための手段と作用と効果】
上記課題を解決するために、請求項１に記載のコンロが創作された。このコンロは、コンロケースの上面に配置されている加熱器と、コンロケースの内部に設けられている炊飯鍋収容用空間と、炊飯鍋収容用空間に臨む位置に配置されている炊飯鍋加熱器と、コンロケースの上面の加熱器に干渉しない位置に設けられ、炊飯鍋収容用空間に連通し、炊飯鍋の通過を許容する開口とを備える。さらに、炊飯鍋が炊飯鍋収容用空間に収容されたときに、炊飯鍋本体と炊飯鍋の把手との間に入り込んで炊飯鍋の把手を炊飯鍋収容用空間から遮蔽する遮蔽板を備える。
本発明は、ガスを燃料とするガスコンロに好適に適用することができ、この場合は、上述した両加熱器（コンロケース上面の加熱器と炊飯鍋加熱器）がガスバーナで構成される。
上記した炊飯器内蔵コンロ（又は炊飯器内蔵ガスコンロ）には、コンロケースの上面に炊飯鍋を出し入れするための開口が形成されている。このために、使用者は、炊飯鍋の把手をつかむことによって熱くて重い炊飯鍋を吊り下げながら安全かつ容易に炊飯鍋収容用空間に出し入れすることができる。本発明に係る炊飯器内蔵コンロは、使い勝手が極めて良い。
また、上記した炊飯器内蔵コンロ（又は炊飯器内蔵ガスコンロ）では、炊飯鍋で生じた蒸気が遮蔽板によって遮断されるので、蒸気が炊飯鍋の把手の方向に流れることが禁止される。また、ガスコンロの場合には、炊飯鍋加熱用ガスバーナの燃焼排ガスも遮断される。従って、蒸気や燃焼排ガスによって炊飯鍋の把手の温度が上昇することが抑制される。
【０００６】
また、上記炊機器内蔵コンロにおいて、炊飯鍋が略直立位置と倒れた位置の間を回動可能な把手を有する場合には、次のような形態としても良い。即ち、炊飯鍋の把手が略直立位置と倒れた位置の間を回動可能であり、コンロケース上面の開口を開閉可能に覆う上蓋が閉位置におかれると、上蓋内面が前記遮蔽板に当接して倒れた位置におかれた把手を収容する空間の上面を囲繞する壁になる。
このような形態によると、蒸気や燃焼排ガスが遮蔽板を乗り越えて把手収容空間に流入することを防止できる。したがって、炊飯鍋の把手は、蒸気や燃焼排ガスの影響をほとんど受けない。炊飯鍋の把手の温度上昇をより抑制することができる。
【０００７】
【発明の実施の形態】
上述した各請求項に記載の炊飯器内蔵コンロは、下記に示す形態で好適に実施することができる。
（形態１）炊飯鍋で生じる蒸気や炊飯鍋加熱用ガスバーナの燃焼排ガスの温度は非常に高いので、遮蔽板は耐熱性能を有する必要がある。燃焼排ガスや蒸気の温度を考慮すると２００℃以上の耐熱性能を有していることが好ましい。従って、請求項１から３のいずれかに記載の炊飯器内蔵コンロにおいて、遮蔽板は２００℃以上の耐熱性能を有する。
（形態２）  請求項３に記載の炊飯器内蔵コンロにおいて、上蓋とコンロケースの上面の間には隙間が確保されており、その隙間を介してコンロケースの外部と把手収容空間が連通していることが好ましい。
このような形態によると、コンロケースの外部から把手収容空間に空気を流入させることができる。把手は空気によって冷却されるので、把手の温度上昇をより抑制することができる。
【０００８】
【実施例】
本発明をガスコンロとして具現化した一実施例を図面を参照して説明する。図１は、本実施例に係る炊飯器内蔵ガスコンロの平面図である。
炊飯器内蔵ガスコンロ１０は、主要部が略箱形状のコンロケース１１内に収容されている。図１には、コンロケース１１の上面を構成する天板１５のみが示されている。天板１５の前部１５ａは前方が低くなるように傾斜し（図２参照）、天板１５の後部１５ｂは後方が高くなるように傾斜している。天板１５の中央には開口７が形成されている。開口７からコンロケース１１の内部にかけては炊飯鍋収容用空間５が広がっている。炊飯鍋収容用空間５の周囲には、炊飯外箱４０が配設されている。炊飯外箱４０は、炊飯鍋収容用空間５を囲繞する壁として機能する。後述する炊飯鍋３２は、開口７を通過して炊飯外箱４０によって画定されている炊飯鍋収容用空間５に出し入れされる。なお、図１では、炊飯鍋３２を図示していない（炊飯鍋３２が炊飯鍋収容用空間５に収容されていない）。炊飯外箱４０の上部には、開口７を開閉可能に覆う上蓋１８が配設されている。図１では閉位置のときの上蓋１８が示されている。上蓋１８の前部には、断熱材で構成される取っ手１８ａが配設されており、上蓋後部１８ｂは後方が高くなるように傾斜している。
上蓋１８の左右の天板１５には、一対のガスバーナ１２、１２が配設されている。ガスバーナ１２は、ガスバーナ燃焼部１２ａと点火装置１２ｂから構成される。ガスバーナ燃焼部１２ａは、天板１５より上方に露出している。ガスバーナ燃焼部１２ａには、混合ガス（ガスと空気が混合されたもの）が供給される。ガスバーナ燃焼部１２ａには、多数の孔が設けられており、その孔から混合ガスが噴出する。混合ガスは、コンロケース１１内に配設されるガス供給装置で生成される。点火装置１２ｂは、点火電極から火花を発生させる。ガスバーナ燃焼部１２ａでは、供給される混合ガスに点火装置１２ｂの火花が引火して燃焼が起こる。また、ガスバーナ燃焼部１２ａの周囲には、五本足の五徳１３が設置されている。五徳１３は天板１５から取外し可能である。五徳１３には、被加熱容器（例えば、鍋、フライパン等）が載置される。
天板前部１５ａには、つまみ式のガスバーナ操作部１６が配設されている。ガスバーナ操作部１６は、ガスバーナ１２での点火と火力調節を行なう際に操作される。ガスバーナ操作部１６のつまみが反時計回りの方向に回されると、ガスバーナ燃焼部１２ａに混合ガスが供給され、つまみが回転限度まで回されると点火装置１２ｂで火花が発生する。ガスバーナ操作部１６のつまみが反時計回りの方向に回されると、ガスバーナ燃焼部１２ａに供給される混合ガス量が多くなり、つまみが時計回りの方向に回されると、供給される混合ガス量が少なくなる。従って、ガスバーナ燃焼部１２ａでは、つまみが反時計回りの方向に回されるほど大きな炎が形成され、時計回りの方向に回されるほど小さな炎が形成される。また、ガスバーナ操作部１６は、後述する炊飯鍋加熱用ガスバーナの点火、火力調節の際にも操作される。
【０００９】
次に、図２に示される図１のII−II線側面図を参照して、炊飯器内蔵ガスコンロ１０の内部構造を説明する。図２では、炊飯鍋３２が炊飯鍋収容用空間５に収容された状態を示す。なお、以下では、図２の左方向を前として説明する。
コンロケース１１は、上述した天板１５と、上面が開口した略箱形状のボディ１７から構成される。コンロケース１１は、天板１５がボディ１７の上面開口を覆う構造を有する。ボディ１７は、上部にフランジ１７ａが形成されている。フランジ１７ａの先端には、緩衝部材６３，６４が取り付けられている。ここで、図４を参照して、コンロケース１１がキッチンカウンターに設置される様子を説明する。図４は、図１のIV−IV線概略縦断面図である。なお、図４では、天板１５とボディ１７は断面で示さず、実線で示している。
図４に示されるように、コンロケース１１は、キッチンカウンター２に設けられた開口２ａに落とし込んで固定される。即ち、本実施例に係る炊飯器内蔵ガスコンロ１０は、いわゆるドロップイン式のガスコンロである。コンロケース１１は、緩衝部材６３，６４がキッチンカウンター２に当接することで支持されている。
【００１０】
再び図２を参照して、炊飯器内蔵ガスコンロ１０の内部構造を説明する。天板１５には天板後部１５ｂの後縁に沿って下方に伸びる壁１５ｃが形成されており、その壁１５ｃは大部分が開口している。壁１５ｃに形成された開口は、コンロケース１１内に空気を導く吸気口６０として機能する。
コンロケース１１の下面よりやや上方には、設置台７０が配設されている。設置台７０を支持する機構については図示省略する。設置台７０には、炊飯鍋加熱用ガスバーナ５２が固定されている。炊飯鍋加熱用ガスバーナ５２は、ガスバーナ燃焼部５２ａと点火装置５２ｂとサーモカップル５２ｃから構成される。ガスバーナ燃焼部５２ａでは、供給された混合ガスの燃焼が行なわれる。点火装置５２ｂは、点火装置１２ｂと同様の構造を有し、火花を発生させる。サーモカップル５２ｃは、金属が組み合わさった構造をしており、熱起電力を利用して温度測定を行なう。
炊飯鍋加熱用ガスバーナ５２には、ガス供給管５６の一端が接続されている。ガス供給管５６の他端は、ガス供給装置（炊飯鍋加熱用ガスバーナ用）５８に接続されている。ガス供給装置５８は、混合ガスをガス供給管５６を介して炊飯鍋加熱用ガスバーナ５２に送る。ガス供給装置５８は、ダンパ部（図示省略）を通して空気を取り込み、取り込んだ空気とガスを混合して混合ガスを生成する。ガス供給装置５８が送る混合ガス量は、ガスバーナ操作部１６のつまみの回転量に応じて決定される。なお、以下の説明では、ガス供給装置（炊飯鍋加熱用ガスバーナ用と天板１５に設置されるガスバーナ用の双方を含む）でガスと混合される空気を一次空気という。
【００１１】
設置台７０の上方には、炊飯鍋収容用空間５が広がっており、その炊飯鍋収容用空間５の周囲には炊飯外箱４０が固定されている。炊飯外箱４０を支持する機構については図示省略する。ここで、図３を参照して、炊飯外箱４０と炊飯外箱４０に取り付けられる上蓋１８の構造について説明する。図３は、炊飯外箱４０と上蓋１８とそれらを結合する部品の分解斜視図である。
炊飯外箱４０は、上面が開口した略箱形状であり、上部が前方（図３の左方向）に突出した構造を有する（炊飯外箱４０は突出部４０ｂを有する）。炊飯外箱４０の上部にはフランジ４０ａが形成されている。炊飯外箱４０の底面には凹部２６が形成されており、その凹部２６の中央には開口２８が形成されている。開口２８からはガスバーナ燃焼部５２ａが露出することになる（図２参照）。凹部２６には、４本足の五徳２４が取外し可能に設置される。
炊飯外箱４０の突出部４０ｂには、遮蔽板４２が固定されている。遮蔽板４２は、その横断面がコの字形状の部材であり、ＰＥＴ（ポリエチレン・テレフタレート）やＰＢＴ（ポリブチレン・テレフタレート）を主成分とする樹脂で構成されている。遮蔽板４２は、２００℃以上の耐熱性能を有する。遮蔽板４２の上端は、炊飯外箱４０がコンロケース１１に配設されたときに、天板１５よりも高く位置するように設定されている。
炊飯外箱４０の後部のフランジ４０ａには、Ｌ字形状の部材２２ａ，２２ｂが固定されている。部材２２ａ，２２ｂは、亜鉛ダイカストにクロムメッキが施されたものである。部材２２ａ，２２ｂの上部には、ネジ孔が設けられている。
【００１２】
上蓋１８は、後部１８ｂが傾斜しており、その傾斜からさらに後方は下方に折れ曲がり壁１８ｃが形成されている。壁１８ｃには、Ｌ字形状の部材２０ａ，２０ｂが固定される。部材２０ａ，２０ｂは、それぞれ３つの孔を有する。壁１８ｃには左右２つづつの孔が形成されており、上蓋１８の孔と部材２０ａ，２０ｂの孔にリベット８５が挿入され、部材２０ａ，２０ｂが上蓋１８に固定される。部材２０ａと部材２２ａが対となり、部材２０ｂと部材２２ｂが対となって、それぞれがネジ８３で締められる。上蓋１８が炊飯外箱４０に回動可能に取り付けられる。
【００１３】
上述の炊飯外箱４０は、炊飯鍋３２を収容可能である（図２参照）。炊飯鍋３２は、炊飯外箱４０に設置される五徳２４に載置される。
ここで、図５を参照して、炊飯鍋３２の構造について説明する。図５は、炊飯鍋３２の分解斜視図である。炊飯鍋３２は、炊飯容器３５と把手４４と炊飯鍋蓋３８から構成される。炊飯容器３５は、上面が開口した略箱形状であり、上部にはフランジ３５ｃが形成されている。そのフランジ３５ｃによって、炊飯鍋蓋載置面３５ａが形成されている。炊飯容器３５の後方（図５の右方向）には凹部３５ｂが形成されており、その凹部３５ｂには二本の柱３６が形成されている。炊飯容器３５の両側面には、ネジ孔３４が設けられている。
把手４４は、コの字形状の部材であり、両先端部分には孔４４ａが形成されている。また、把手４４にはフランジ４４ｃが形成されている。把手４４の孔４４ａと炊飯容器３５のネジ孔３４にネジ９１が挿入され、把手４４が炊飯容器３５に回動可能（略直立位置と倒れた位置の間を回動可能）に取り付けられる。炊飯鍋３２が持ち運びされる際には、把手４４が略直立位置にされる。本実施例では、ネジ孔３４を炊飯鍋３２の中央よりやや後方に設けて、把手４４の取り付け位置を後方にするとともに、略直立位置である把手４４のフランジ４４ｃが炊飯鍋３２のフランジ３５ｃに当接するようにしている。これにより、炊飯鍋３２が２点で支持されることになり、炊飯鍋３２の回転が防止される。炊飯鍋３２が持ち運びされる際に回転しないため、収容している御飯等がこぼれない。炊飯鍋３２が炊飯外箱４０内に収容されるときには把手４４は倒れた位置にされる。また、把手４４の中央には、断熱部材４６が組込まれている。
炊飯鍋蓋３８は、下面が開口した略箱形状であり、上面には凹部３８ａが形成されている。凹部３８ａには、炊飯鍋蓋用取っ手３９が取り付けられている。炊飯鍋蓋３８は、炊飯容器３５の炊飯蓋載置面３５ａに載置される。炊飯鍋蓋３８が炊飯容器３５に載置された状態では、炊飯容器３５の後部と炊飯鍋蓋３８に隙間が生じる。炊飯容器３５には凹部３５ｂが形成されているからである。また、凹部３５ｂに柱３６が形成されているので、炊飯鍋蓋３８の後方移動が禁止される。このために、炊飯容器３５と炊飯鍋蓋３８の隙間が閉じられることはない。この隙間は、炊飯の際に生じる蒸気を炊飯容器３５から逃すための、いわゆる蒸気抜きとして機能する。
【００１４】
次に、図２と図６を参照して、炊飯鍋３２が炊飯外箱４０内（炊飯鍋収容用空間５）に収容されたときの炊飯鍋３２と炊飯外箱４０と上蓋１８の位置関係について説明する。図６は、炊飯外箱４０内に炊飯鍋３２が収容されているときの炊飯器内蔵ガスコンロ１０の平面図であり、上蓋１８を省略して示す。
炊飯鍋３２が炊飯外箱４０に収容されるときは、把手４４は倒れた位置にされる。把手４４は、遮蔽板４２と炊飯外箱突出部４０ｂの前面壁４０ｅとの間に嵌まり込む。このとき、炊飯鍋３２が後方に移動しようとすると把手４４が遮蔽板４２に接触し、炊飯鍋３２の後方移動が禁止される。また、炊飯鍋３２が前方に移動しようとすると把手４４が前面壁４０ｅに接触し、炊飯鍋３２の前方移動が禁止される。従って、炊飯鍋３２が炊飯外箱４０に収容されると、炊飯鍋３２の前後方向の移動が禁止され、炊飯鍋３２と炊飯外箱４０の相対位置が決定される。本実施例では、炊飯鍋３２が炊飯外箱４０に収容されると、炊飯鍋背面３２ａと炊飯外箱背面４０ｃとの間隔が、炊飯鍋前面３２ｂと炊飯外箱前面４０ｄとの間隔より大きくなるように設定されている。
また、閉位置にある上蓋１８は、遮蔽板４２に当接する（図２参照）。閉位置にある上蓋１８は、把手４４を収容する空間８７の上面を囲繞する壁として機能する。上蓋１８は、遮蔽板４２に当接することで天板１５より上方に位置し、上蓋１８と天板１５には隙間９０ａ，９０ｂが形成される。前方に形成された隙間９０ｂは小さく、本実施例では約３ｍｍである。この隙間９０ｂは、把手４４を冷やす空気の吸気口として機能する。また、後方に形成された隙間９０ａは、炊飯鍋３２で生じた蒸気や炊飯鍋加熱用ガスバーナ５２の燃焼排ガスの排気口として機能する。なお、上蓋１８は、天板１５よりも高く位置するが、五徳１３の上端よりは低く位置するように設定されている。
なお、炊飯外箱４０に炊飯鍋３２が逆方向に収容されたときには、倒れた把手４４が開位置の上蓋１８に当ってしまい、上蓋１８を閉めることができない。使用者は誤って逆方向に収容したことを認識することができる。
【００１５】
次に、図２を参照して、コンロケース１１における排気と吸気について説明する。まず、炊飯鍋３２で生じた蒸気や炊飯鍋加熱用ガスバーナ５２の燃焼排ガスがどのように排気されるかを説明する。
炊飯鍋３２の後部には蒸気抜きが設けられている（図５参照）。従って、炊飯鍋３２で生じた蒸気は、矢印Ｄ１に示すように炊飯鍋３２の後部から排出される。
炊飯鍋加熱用ガスバーナ５２の燃焼排ガスは、炊飯外箱４０が設けられているため、炊飯鍋３２の側面に沿って上昇していく。このために、炊飯鍋３２の側面上部も加熱されることになる。即ち、炊飯外箱４０が設けられたことで、炊飯鍋３２は、いわゆるつつみ炊きがなされることになる。つつみ炊きがなされると、御飯がおいしく炊き上がる。燃焼排ガスは、大部分が矢印Ｄ２方向に案内される。これは、炊飯鍋３２が炊飯外箱４０に収容されたときに、炊飯鍋背面３２ａと炊飯外箱背面４０ｃとの間隔が、炊飯鍋前面３２ｂと炊飯外箱前面４０ｄとの間隔より大きいからである。
矢印Ｄ１，Ｄ２方向に案内された蒸気や燃焼排ガスの大部分は、矢印Ｄ３に示すように上蓋１８と天板１５の隙間９０ａから排気される。また、上蓋後部１８ｂが持ち上げられているため、蒸気や燃焼排ガスは後方に優先して案内されることになる。仮に、蒸気が炊飯鍋３２の前方から排出されたり、燃焼排ガスが矢印Ｄ５方向に流れたとしても、遮蔽板４２と上蓋１８が当接しているため、蒸気や燃焼排ガスが遮蔽板４２より前方に流入することが防止される。
【００１６】
次に、コンロケース１１内への吸気について説明する。コンロケース１１内への吸気は、天板１５の吸気口６０から行なわれる。即ち、矢印Ｄ４に示すように吸気が行なわれる。本実施例では、吸気口６０は、キッチンカウンターの上方に露出するガスコンロケースの側面に確保されている。側面に設ける代わりに、上面に設けてもよいし、上面と側面の両方に設けてもよい。なお、本実施例では、炊飯器内蔵ガスコンロ１０のトータルインプットが約９０００Ｋｃａｌ／ｈに対して、吸気口６０の面積を約５０００ｍｍ２ほど確保しており、コンロケース１１内には充分な空気量を取り入れることができる。コンロケース１１内に充分な空気量が確保されるため、ガス供給装置（炊飯鍋加熱用ガスバーナ用と天板１５に設置されるガスバーナ用の双方を含む）における一次空気が不足することはない。
また、炊飯外箱４０の底面には開口２８が設けられ、炊飯外箱４０の下面はコンロケース１１の下面より高く位置している。これは、炊飯外箱４０の下方に通気経路を設け、炊飯鍋加熱用ガスバーナ５２の燃焼用の補助空気（二次空気）を確保するためである。また、炊飯器加熱用ガスバーナ５２を高く位置させることで、ボディ１７の過熱が防止される。
蒸気や燃焼排ガスの排気は隙間９０ａから行なわれ、コンロケース１１内への吸気は吸気口６０から行なわれる。即ち、本実施例に係る炊飯器内蔵ガスコンロ１０は、排気経路と吸気経路が分離された構成を有する。
【００１７】
本実施例に係る炊飯器内蔵ガスコンロ１０は、天板１５に開口７が設けられているので、使用者は炊飯鍋３２の把手４４をつかむことによって熱くて重い炊飯鍋３２を吊り下げながら安全かつ容易に炊飯鍋収容用空間５に出し入れすることができ、極めて使いやすい。天板１５に開口７が設けられているので、コンロケース１１の内部（特に炊飯外箱４０）を簡単に掃除することができる。そして、コンロケース１１の内部を上方から見ることができるので、掃除後の綺麗になったか否かの確認を簡単に行なうことができる。
また、炊飯器内蔵ガスコンロ１０には炊飯外箱４０が設けられており、炊飯外箱４０が炊飯鍋収容用空間５を囲繞する壁として機能する。炊飯外箱４０が設けられているので、炊飯鍋加熱用ガスバーナ５２の燃焼排ガスや炊飯鍋３２で生じる蒸気がコンロケース１１の内部に配設される装置（例えば、ガス供給装置５８等）に影響を与えない。また、炊飯外箱４０により炊飯鍋３２のつつみ炊きが効果的に行なわれる。
さらに、遮蔽板４２が設けられたことで、炊飯鍋加熱用ガスバーナ５２の燃焼排ガスや炊飯鍋３２で生じる蒸気が把手４４を収容する空間（把手収容用空間）８７に流入することが防止される。このために、把手４４の温度上昇を防止することができる。
【００１８】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
例えば、本実施例では炊飯器内蔵ガスコンロ１０をドロップイン式として説明したが、本発明はテーブル式のガスコンロにも適用することができる。また、加熱源がガス以外のコンロ、例えば、電熱コンロや電磁コンロにも適用することができる。また、ガスバーナの数は２つに限定されるものではなく、１つであっても良いし、３つ以上設けられても良い。
また、炊飯鍋３２は、主に炊飯に用いられるものであって、その他の食材の調理に用いられても良い。また、炊飯鍋加熱用ガスバーナ５２は、主に炊飯鍋３２を加熱する際に用いられるものであって、その他の調理容器を加熱することもできる。
また、閉位置にある上蓋１８の上面に鍋等を載置可能である台を設けても良い。図７（ａ），（ｂ）に、台８６の形状を例示する。図７（ａ）は、五徳形状の台８６を示しており、上蓋１８とは別部材であって溶接、かしめ等によって取り付けられる。図７（ｂ）の台８６は、絞り加工等によって形成される。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【図１】  上蓋が閉位置のときの炊飯器内蔵ガスコンロの平面図を示す。
【図２】  図１のII−II線側面図を示す。
【図３】  炊飯外箱と上蓋とそれらを結合するための部材の分解斜視図を示す。
【図４】  図１のIV−IV線概略縦断面図であり、炊飯器内蔵ガスコンロがキッチンカウンターに設置される様子を示す。
【図５】  炊飯鍋の分解斜視図を示す。
【図６】  炊飯鍋が収容状態のときの炊飯器内蔵ガスコンロの平面図であり、上蓋を省略して示す。
【図７】  台が設けられた上蓋の斜視図を示す。
【符号の説明】
２・・キッチンカウンター
５・・炊飯鍋収容用空間
７・・開口
１０・・炊飯器内蔵ガスコンロ
１１・・コンロケース
１２・・ガスバーナ
１３・・五徳
１５・・天板
１６・・ガスバーナ操作部
１７・・ボディ
１８・・上蓋
３２・・炊飯鍋
４０・・炊飯外箱（囲繞壁）
４２・・遮蔽板
４４・・把手
５２・・炊飯鍋加熱用ガスバーナ
【図１】
0003782338.tif 000002
【図２】
0003782338.tif 000003
【図３】
0003782338.tif 000004
【図４】
0003782338.tif 000005
【図５】
0003782338.tif 000006
【図６】
0003782338.tif 000007
【図７】
0003782338.tif 000008